(57)【要約】  移動通信システムにおける通信制御方法は、少なくとも１つのセルを有する基地局が、隣接基地局に対し、前記隣接基地局配下のユーザ端末のモビリティ制御のためのメジャメント対象として、前記基地局の特定セルを選択させないよう通知するための情報を送信するステップＡと、前記隣接基地局が、前記ステップＡで前記基地局からの前記情報を受信すると、当該受信した情報に基づいて、前記隣接基地局配下の前記ユーザ端末が前記メジャメント対象として前記特定セルを選択しないよう制御するステップＢと、を有する。
2013065834.tif 000002
【特許請求の範囲】
【請求項１】
移動通信システムにおける通信制御方法であって、
少なくとも１つのセルを有する基地局が、隣接基地局に対し、前記隣接基地局配下のユーザ端末のモビリティ制御のためのメジャメント対象として、前記基地局の特定セルを選択させないよう通知するための情報を送信するステップＡと、
前記隣接基地局が、前記ステップＡで前記基地局からの前記情報を受信すると、当該受信した情報に基づいて、前記隣接基地局配下の前記ユーザ端末が前記メジャメント対象として前記特定セルを選択しないよう制御するステップＢと、
を有することを特徴とする通信制御方法。
【請求項２】
移動通信システムにおいて、少なくとも１つのセルを有する基地局であって、
隣接基地局に対し、前記隣接基地局配下のユーザ端末のモビリティ制御のためのメジャメント対象として、前記基地局の特定セルを選択させないよう通知するための情報を送信する送信部を有することを特徴とする基地局。
【請求項３】
移動通信システムにおける基地局であって、
隣接基地局から、前記基地局配下のユーザ端末のモビリティ制御のためのメジャメント対象として、前記隣接基地局の特定セルを選択させないよう通知するための情報を受信する受信部と、
前記受信部が受信した前記情報に基づいて、前記基地局配下の前記ユーザ端末が前記メジャメント対象として前記特定セルを選択しないよう制御する制御部と、
を有することを特徴とする基地局。
【請求項４】
移動通信システムにおける通信制御方法であって、
少なくとも１つのセルを有する基地局が、隣接基地局に対し、前記隣接基地局配下のユーザ端末のモビリティ制御のためのメジャメント対象として、前記基地局の特定セルを選択するよう指示するための情報を送信するステップＡと、
前記隣接基地局が、前記ステップＡで前記基地局からの前記情報を受信すると、当該受信した情報に基づいて、前記隣接基地局配下の前記ユーザ端末が前記メジャメント対象として前記特定セルを選択するよう制御するステップＢと、
を有することを特徴とする通信制御方法。
【請求項５】
移動通信システムにおいて、少なくとも１つのセルを有する基地局であって、
隣接基地局に対し、前記隣接基地局配下のユーザ端末のモビリティ制御のためのメジャメント対象として、前記基地局の特定セルを選択するよう指示するための情報を送信する送信部を有することを特徴とする基地局。
【請求項６】
移動通信システムにおける基地局であって、
隣接基地局から、前記基地局配下のユーザ端末のモビリティ制御のためのメジャメント対象として、前記隣接基地局の特定セルを選択するよう指示するための情報を受信する受信部と、
前記受信部が受信した前記情報に基づいて、前記基地局配下の前記ユーザ端末が前記メジャメント対象として前記特定セルを選択するよう制御する制御部と、
を有することを特徴とする基地局。
【請求項７】
移動通信システムにおける通信制御方法であって、
少なくとも１つのセルを有する基地局が、特定セルにおいて一部の周波数帯の送信電力を制限するステップＡを有し、
前記ステップＡは、
同期信号の送信電力及び／又はマスタ情報ブロックの送信電力を制限するステップＡ１と、
物理下りリンク制御チャネル領域の送信電力を制限するステップＡ２と、
共通参照信号の送信電力を制限するステップＡ３と、
のうち少なくとも何れか１つを含むことを特徴とする通信制御方法。
【請求項８】
前記ステップＡにおいて、前記基地局は、前記一部の周波数帯の一部サブフレームにおける送信電力を制限することを特徴とする請求項７に記載の通信制御方法。
【請求項９】
前記ステップＡにおいて、前記基地局は、前記一部の周波数帯の全サブフレームにおける送信電力を制限することを特徴とする請求項７に記載の通信制御方法。
【請求項１０】
前記基地局が、前記ステップＡにおいて前記同期信号及び／又は前記マスタ情報ブロックの送信電力を制限する場合に、隣接基地局に対し、当該送信電力制限に関する情報を送信するステップＢをさらに有することを特徴とする請求項７に記載の通信制御方法。
【請求項１１】
前記基地局が、前記ステップＡにおいて前記同期信号及び／又は前記マスタ情報ブロックの送信電力を制限する場合に、隣接基地局に対し、前記隣接基地局配下のユーザ端末のモビリティ制御のためのメジャメント対象として、前記特定セルを選択させないよう通知するための情報を送信するステップＣと、
前記隣接基地局が、前記ステップＣで前記基地局からの前記情報を受信すると、当該受信した情報に基づいて、前記隣接基地局配下の前記ユーザ端末が前記メジャメント対象として前記特定セルを選択しないよう制御するステップＤと、
をさらに有することを特徴とする請求項７に記載の通信制御方法。
【請求項１２】
前記基地局が、前記ステップＡにおいて前記共通参照信号の送信電力を制限する場合に、前記基地局配下のユーザ端末に対し、当該送信電力制限の対象とする無線リソースを通知するステップＥをさらに有することを特徴とする請求項７に記載の通信制御方法。
【請求項１３】
前記基地局配下の前記ユーザ端末が、前記ステップＥにおいて前記送信電力制限の対象とする無線リソースの通知を受信した後、当該無線リソースに対するメジャメント結果を前記基地局への報告の対象から除外するステップＦをさらに有することを特徴とする請求項１０に記載の通信制御方法。
【請求項１４】
移動通信システムにおいて、少なくとも１つのセルを有する基地局であって、
特定セルにおいて一部の周波数帯の送信電力を制限する制限部を有し、
前記制限部は、同期信号、マスタ情報ブロック、物理下りリンク制御チャネル領域、及び共通参照信号のうち、少なくとも何れか１つの送信電力を制限することを特徴とする基地局。
【請求項１５】
第１のセルを有する第１の基地局と、第２のセルを有する第２の基地局と、を含む移動通信システムにおける通信制御方法であって、
前記第１の基地局が、前記第１の基地局配下のユーザ端末に対し、特定のリソースブロック内のみの共通参照信号に基づいて前記第２のセルの参照信号受信電力を測定するよう指示するための情報を送信するステップＡと、
前記ユーザ端末が、前記ステップＡで前記第１の基地局からの前記情報を受信すると、当該受信した情報に従い、前記第２のセルの前記特定のリソースブロック内のみの前記共通参照信号に基づいて前記第２のセルに対する前記参照信号受信電力を測定するステップＢと、
を有することを特徴とする通信制御方法。
【請求項１６】
移動通信システムにおける基地局であって、
前記基地局配下のユーザ端末に対し、特定のリソースブロック内のみの共通参照信号に基づいて他の基地局のセルの参照信号受信電力を測定するよう指示するための情報を送信する送信部を有することを特徴とする基地局。
【請求項１７】
移動通信システムにおけるユーザ端末であって、
第１の基地局から、特定のリソースブロック内のみの共通参照信号に基づいて第２の基地局のセルの参照信号受信電力を測定するよう指示するための情報を受信する受信部と、
前記受信部が受信した前記情報に従い、前記特定のリソースブロック内のみの前記共通参照信号に基づいて前記第２の基地局のセルに対する前記参照信号受信電力を測定する測定部と、
を有することを特徴とするユーザ端末。
【請求項１８】
第１のセルを有する第１の基地局と、第２のセルを有する第２の基地局と、を含む移動通信システムにおける通信制御方法であって、
前記第１の基地局が、前記第１の基地局配下のユーザ端末に対し、前記第２のセルの下り帯域幅の情報を通知するステップＡと、
前記ユーザ端末が、前記ステップＡで前記第１の基地局からの前記情報を受信すると、当該受信した情報に基づいて、前記第２のセルからの下り帯域幅情報を取得することなく、前記第２のセルの参照信号受信電力を測定するステップＢと、
を有することを特徴とする通信制御方法。
【請求項１９】
移動通信システムにおける基地局であって、
前記基地局配下のユーザ端末に対し、他の基地局のセルの下り帯域幅の情報を通知する通知部を有することを特徴とする基地局。
【請求項２０】
移動通信システムにおけるユーザ端末であって、
第１の基地局から、第２の基地局のセルの下り帯域幅の情報を受信する受信部と、
前記受信部が受信した前記情報に基づいて、前記第２の基地局のセルからの下り帯域幅情報を取得することなく、前記第２の基地局のセルの参照信号受信電力を測定する測定部と、
を有することを特徴とするユーザ端末。
【発明の詳細な説明】
【技術分野】
【０００１】
本発明は、移動通信システムにおける通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）は、３ＧＰＰリリース１０以降において、ＬＴＥ（Ｌｏｎｇ  Ｔｅｒｍ  Ｅｖｏｌｕｔｉｏｎ）を高度化したＬＴＥ  Ａｄｖａｎｃｅｄの標準化を進めている（例えば、非特許文献１参照）。【０００３】
ＬＴＥ−Ａｄｖａｎｃｅｄでは、高電力基地局（いわゆる、マクロ基地局）のカバレッジエリアに低電力基地局（いわゆる、ピコ基地局やホーム基地局）が配置されるヘテロジーニアスネットワークの提供が検討されている。ヘテロジーニアスネットワークは、高電力基地局の負荷を低電力基地局に分散させることが可能である。【０００４】
また、ＬＴＥ  Ａｄｖａｎｃｅｄは、ＬＴＥとの後方互換性を確保しながら広帯域化を実現すべく、ＬＴＥにおけるキャリアをコンポーネントキャリア（ＣＣ）と位置付け、複数のキャリアを組み合わせて無線通信に使用するキャリアアグリゲーション技術が導入される。なお、「キャリア」は、「セル」として取り扱われることがある。
【先行技術文献】
【非特許文献】
【０００５】
【非特許文献１】３ＧＰＰ  ＴＳ  ３６．３００  ｖ１０．４．０
【発明の概要】
【０００６】
ヘテロジーニアスネットワークでは、高電力基地局と低電力基地局とが同一のキャリアを使用する場合に、高電力基地局に接続するユーザ端末が低電力基地局のカバレッジエリア端周辺に居ると、当該低電力基地局が当該ユーザ端末からの上りリンク干渉を受けることがある。
【０００７】
ここで、高電力基地局が、自局に接続するユーザ端末からのメジャメントレポートに基づいて、低電力基地局に対するメジャメントに成功したユーザ端末（すなわち、低電力基地局からの同期信号を正常に受信可能なユーザ端末）を干渉源として推定し、当該干渉源のユーザ端末を他のキャリアにハンドオーバするなどによって、当該上りリンク干渉の解決を図ることが検討されている。
【０００８】
しかしながら、高電力基地局に接続するユーザ端末は、低電力基地局のカバレッジエリア端周辺に居る場合であっても、各基地局の送信電力差に起因して、高電力基地局からの下りリンク信号によって低電力基地局からの同期信号が打ち消されてしまうと、低電力基地局との同期をとることができず、低電力基地局に対するメジャメントを行うことができない。
【０００９】
よって、低電力基地局が同期信号を送信するタイミング及び周波数帯において、高電力基地局が送信電力を制限（具体的には、電力停止又は電力低下）することで、ユーザ端末による低電力基地局に対するメジャメントを可能にすることが考えられる。
【００１０】
同期信号を送信する周波数帯はキャリア中の中央の６リソースブロックと規定されている。高電力基地局及び低電力基地局が同期している場合で、同期信号の送信タイミングが異なるようにオフセット（サブフレームオフセット）が設定されている場合には、高電力基地局が同期信号の送信電力を制限することを要しない。これに対し、高電力基地局及び低電力基地局が非同期の場合、又は、同期していてもオフセットが設定されていない場合には、高電力基地局が送信電力制限を行う必要がある。
【００１１】
しかしながら、高電力基地局が送信電力制限を行うと、高電力基地局のセル（キャリア）をハンドオーバターゲットとすべき隣接基地局配下のユーザ端末や、高電力基地局配下のユーザ端末において、通信が途絶する又は通信に支障が生じる虞がある。
【００１２】
そこで、本発明は、上述した課題を解決することを目的とする。
【００１３】
本発明に係る通信制御方法は、移動通信システムにおける通信制御方法であって、少なくとも１つのセルを有する基地局（例えばＭｅＮＢ１００−１）が、隣接基地局（例えばｅＮＢ１００−３）に対し、前記隣接基地局配下のユーザ端末（例えばＵＥ２００−３）のモビリティ制御のためのメジャメント対象として、前記基地局の特定セルを選択させないよう通知するための情報を送信するステップＡと、前記隣接基地局が、前記ステップＡで前記基地局からの前記情報を受信すると、当該受信した情報に基づいて、前記隣接基地局配下の前記ユーザ端末が前記メジャメント対象として前記特定セルを選択しないよう制御するステップＢと、を有する。
【００１４】
本発明に係る基地局は、移動通信システムにおいて、少なくとも１つのセルを有する基地局（例えばＭｅＮＢ１００−１）であって、隣接基地局（例えばｅＮＢ１００−３）に対し、前記隣接基地局配下のユーザ端末（例えばＵＥ２００−３）のモビリティ制御のためのメジャメント対象として、前記基地局の特定セルを選択させないよう通知するための情報を送信する送信部を有する。
【００１５】
本発明に係る基地局は、移動通信システムにおける基地局（例えばｅＮＢ１００−３）であって、隣接基地局（例えばＭｅＮＢ１００−１）から、前記基地局配下のユーザ端末（例えばＵＥ２００−３）のモビリティ制御のためのメジャメント対象として、前記隣接基地局の特定セルを選択させないよう通知するための情報を受信する受信部と、前記受信部が受信した前記情報に基づいて、前記基地局配下の前記ユーザ端末が前記メジャメント対象として前記特定セルを選択しないよう制御する制御部と、を有する。
【００１６】
本発明に係る通信制御方法は、移動通信システムにおける通信制御方法であって、少なくとも１つのセルを有する基地局（例えばＭｅＮＢ１００−１）が、隣接基地局（例えばｅＮＢ１００−３）に対し、前記隣接基地局配下のユーザ端末（例えばＵＥ２００−３）のモビリティ制御のためのメジャメント対象として、前記基地局の特定セルを選択するよう指示するための情報を送信するステップＡと、前記隣接基地局が、前記ステップＡで前記基地局からの前記情報を受信すると、当該受信した情報に基づいて、前記隣接基地局配下の前記ユーザ端末が前記メジャメント対象として前記特定セルを選択するよう制御するステップＢと、を有する。
【００１７】
本発明に係る基地局は、移動通信システムにおいて、少なくとも１つのセルを有する基地局（例えばＭｅＮＢ１００−１）であって、隣接基地局（例えばｅＮＢ１００−３）に対し、前記隣接基地局配下のユーザ端末（例えばＵＥ２００−３）のモビリティ制御のためのメジャメント対象として、前記基地局の特定セルを選択するよう指示するための情報を送信する送信部を有する。
【００１８】
本発明に係る基地局は、移動通信システムにおける基地局（例えばｅＮＢ１００−３）であって、隣接基地局（例えばＭｅＮＢ１００−１）から、前記基地局配下のユーザ端末のモビリティ制御のためのメジャメント対象として、前記隣接基地局の特定セルを選択するよう指示するための情報を受信する受信部と、前記受信部が受信した前記情報に基づいて、前記基地局配下の前記ユーザ端末が前記メジャメント対象として前記特定セルを選択するよう制御する制御部と、を有する。
【００１９】
本発明に係る通信制御方法は、移動通信システムにおける通信制御方法であって、少なくとも１つのセルを有する基地局（例えばＭｅＮＢ１００−１）が、特定セルにおいて一部の周波数帯の送信電力を制限するステップＡを有し、前記ステップＡは、同期信号の送信電力及び／又はマスタ情報ブロックの送信電力を制限するステップＡ１と、物理下りリンク制御チャネル領域の送信電力を制限するステップＡ２と、共通参照信号の送信電力を制限するステップＡ３と、のうち少なくとも何れか１つを含む。
【００２０】
本発明に係る通信制御方法は、前記ステップＡにおいて、前記基地局は、前記一部の周波数帯の一部サブフレームにおける送信電力を制限する。
【００２１】
本発明に係る通信制御方法は、前記ステップＡにおいて、前記基地局は、前記一部の周波数帯の全サブフレームにおける送信電力を制限する。
【００２２】
本発明に係る通信制御方法は、前記基地局が、前記ステップＡにおいて前記同期信号及び／又は前記マスタ情報ブロックの送信電力を制限する場合に、隣接基地局（例えばｅＮＢ１００−３）に対し、当該送信電力制限に関する情報を送信するステップＢをさらに有する。
【００２３】
本発明に係る通信制御方法は、前記基地局が、前記ステップＡにおいて前記同期信号及び／又は前記マスタ情報ブロックの送信電力を制限する場合に、隣接基地局（例えばｅＮＢ１００−３）に対し、前記隣接基地局配下のユーザ端末（例えばＵＥ２００−３）のモビリティ制御のためのメジャメント対象として、前記特定セルを選択させないよう通知するための情報を送信するステップＣと、前記隣接基地局が、前記ステップＣで前記基地局からの前記情報を受信すると、当該受信した情報に基づいて、前記隣接基地局配下の前記ユーザ端末が前記メジャメント対象として前記特定セルを選択しないよう制御するステップＤと、をさらに有する。
【００２４】
本発明に係る通信制御方法は、前記基地局が、前記ステップＡにおいて前記共通参照信号の送信電力を制限する場合に、前記基地局配下のユーザ端末（例えばＭＵＥ２００−１）に対し、当該送信電力制限の対象とする無線リソースを通知するステップＥをさらに有する。
【００２５】
本発明に係る通信制御方法は、前記基地局配下の前記ユーザ端末が、前記ステップＥにおいて前記送信電力制限の対象とする無線リソースの通知を受信した後、当該無線リソースに対するメジャメント結果を前記基地局への報告の対象から除外するステップＦをさらに有する。
【００２６】
本発明に係る基地局は、移動通信システムにおいて、少なくとも１つのセルを有する基地局（例えばＭＵＥ２００−１）であって、特定セルにおいて一部の周波数帯の送信電力を制限する制限部を有し、前記制限部は、同期信号、マスタ情報ブロック、物理下りリンク制御チャネル領域、及び共通参照信号のうち、少なくとも何れか１つの送信電力を制限する。
【００２７】
本発明に係る通信制御方法は、第１のセルを有する第１の基地局（例えばＭｅＮＢ１００−１）と、第２のセルを有する第２の基地局（例えばＰｅＮＢ１００−２）と、を含む移動通信システムにおける通信制御方法であって、前記第１の基地局が、前記第１の基地局配下のユーザ端末（例えばＭＵＥ２００−１）に対し、特定のリソースブロック内のみの共通参照信号に基づいて前記第２のセルの参照信号受信電力を測定するよう指示するための情報を送信するステップＡと、前記ユーザ端末が、前記ステップＡで前記第１の基地局からの前記情報を受信すると、当該受信した情報に従い、前記第２のセルの前記特定のリソースブロック内のみの前記共通参照信号に基づいて前記第２のセルに対する前記参照信号受信電力を測定するステップＢと、を有する。
【００２８】
本発明に係る基地局は、移動通信システムにおける基地局（例えばＭｅＮＢ１００−１）であって、前記基地局配下のユーザ端末（例えばＭＵＥ２００−１）に対し、特定のリソースブロック内のみの共通参照信号に基づいて他の基地局のセルの参照信号受信電力を測定するよう指示するための情報を送信する送信部を有する。
【００２９】
本発明に係るユーザ端末は、移動通信システムにおけるユーザ端末（例えばＭＵＥ２００−１）であって、第１の基地局（例えばＭｅＮＢ１００−１）から、特定のリソースブロック内のみの共通参照信号に基づいて第２の基地局（例えばＰｅＮＢ１００−２）のセルの参照信号受信電力を測定するよう指示するための情報を受信する受信部と、前記受信部が受信した前記情報に従い、前記特定のリソースブロック内のみの前記共通参照信号に基づいて前記第２の基地局のセルに対する前記参照信号受信電力を測定する測定部と、を有する。
【００３０】
本発明に係る通信制御方法は、第１のセルを有する第１の基地局（例えばＭｅＮＢ１００−１）と、第２のセルを有する第２の基地局（例えばＰｅＮＢ１００−２）と、を含む移動通信システムにおける通信制御方法であって、前記第１の基地局が、前記第１の基地局配下のユーザ端末（例えばＭＵＥ２００−１）に対し、前記第２のセルの下り帯域幅の情報を通知するステップＡと、前記ユーザ端末が、前記ステップＡで前記第１の基地局からの前記情報を受信すると、当該受信した情報に基づいて、前記第２のセルからの下り帯域幅情報を取得することなく、前記第２のセルの参照信号受信電力を測定するステップＢと、を有する。
【００３１】
本発明に係る基地局は、移動通信システムにおける基地局（例えばＭｅＮＢ１００−１）であって、前記基地局配下のユーザ端末（例えばＭＵＥ２００−１）に対し、他の基地局（例えばＰｅＮＢ１００−２）のセルの下り帯域幅の情報を通知する通知部を有する。
【００３２】
本発明に係るユーザ端末は、移動通信システムにおけるユーザ端末（例えばＭＵＥ２００−１）であって、第１の基地局（例えばＭｅＮＢ１００−１）から、第２の基地局（例えばＰｅＮＢ１００−２）のセルの下り帯域幅の情報を受信する受信部と、前記受信部が受信した前記情報に基づいて、前記第２の基地局のセルからの下り帯域幅情報を取得することなく、前記第２の基地局のセルの参照信号受信電力を測定する測定部と、を有する。
【図面の簡単な説明】
【００３３】
【図１】第１実施形態及び第２実施形態に係る移動通信システムを示す。
【図２】第１実施形態及び第２実施形態に係る移動通信システムで使用される無線リソース構成を示す。
【図３】第１実施形態に係るＭｅＮＢ及びＰｅＮＢが、サブフレーム同期し、且つサブフレームオフセットが設定されている場合のｍｕｔｉｎｇ／ｐｏｗｅｒ  ｒｅｄｕｃｔｉｏｎの一例を示す。
【図４】第１実施形態に係るＭｅＮＢ及びＰｅＮＢが、サブフレーム同期し、且つサブフレームオフセットが設定されていない場合のｍｕｔｉｎｇ／ｐｏｗｅｒ  ｒｅｄｕｃｔｉｏｎの一例を示す。
【図５】第１実施形態に係るＭｅＮＢ及びＰｅＮＢがサブフレーム同期していない場合のｍｕｔｉｎｇ／ｐｏｗｅｒ  ｒｅｄｕｃｔｉｏｎの一例を示す。
【図６】第１実施形態及び第２実施形態に係るｅＮＢのブロック図である。
【図７】第１実施形態及び第２実施形態に係るＵＥのブロック図である。
【図８】第１実施形態に係る移動通信システムの全体動作の一例を示す。
【図９】第２実施形態に係るＭｅＮＢ及びＰｅＮＢが、サブフレーム同期している場合のｅＰＳＳ／ｅＳＳＳ／ｅＭＩＢ及びｍｕｔｉｎｇ／ｐｏｗｅｒ  ｒｅｄｕｃｔｉｏｎの一例を示す。
【図１０】第２実施形態に係るＭｅＮＢ及びＰｅＮＢが、サブフレーム同期していない場合のｅＰＳＳ／ｅＳＳＳ／ｅＭＩＢ及びｍｕｔｉｎｇ／ｐｏｗｅｒ  ｒｅｄｕｃｔｉｏｎの一例を示す。
【図１１】第２実施形態に係る移動通信システムの全体動作の一例を示す。
【発明を実施するための形態】
【００３４】
図面を参照して、本発明の実施形態を説明する。以下の各実施形態に係る図面において、同一又は類似の部分には同一又は類似の符号を付す。
【００３５】
［第１実施形態］
図１は、本実施形態に係る移動通信システムを示す。本実施形態に係る移動通信システムは、ＬＴＥ  Ａｄｖａｎｃｅｄ（３ＧＰＰリリース１０以降）に基づいて構成される。
【００３６】
図１に示すように、移動通信システムは、大型のカバレッジエリアを形成するマクロ基地局（Ｍａｃｒｏ  ｅｖｏｌｖｅｄ  Ｎｏｄｅ−Ｂ：ＭｅＮＢ）１００−１と、小型のカバレッジエリアを形成するピコ基地局（Ｐｉｃｏ  ｅｖｏｌｖｅｄ  Ｎｏｄｅ−Ｂ：ＰｅＮＢ）１００−２と、ＭｅＮＢ１００−１に隣接するｅＮＢ１００−３と、を有する。ｅＮＢ１００−３としてはＭｅＮＢを図示しているが、ＰｅＮＢであってもよい。また、図１では、ＭｅＮＢ１００−１のカバレッジエリア内に設置されたＰｅＮＢ１００−２を１つのみ図示しているが、複数のＰｅＮＢ１００−２がＭｅＮＢ１００−１のカバレッジエリア内に設置されていてもよい。ＭｅＮＢ１００−１、ＰｅＮＢ１００−２、ｅＮＢ１００−３のそれぞれには、１又は複数のユーザ端末（Ｕｓｅｒ  Ｅｑｕｉｐｍｅｎｔ：ＵＥ）が接続している。
【００３７】
以下において、ＭｅＮＢ１００−１に接続するＵＥをＭＵＥ２００−１と称し、ＰｅＮＢ１００−２に接続するＵＥをＰＵＥ２００−２と称し、ｅＮＢ１００−３に接続するＵＥをＵＥ２００−３と称する。また、ＭｅＮＢ１００−１、ＰｅＮＢ１００−２、及びｅＮＢ１００−３を特に区別しないときは単にｅＮＢ１００と称し、ＭＵＥ２００−１、ＰＵＥ２００−２、及びＵＥ２００−３を特に区別しないときは単にＵＥ２００と称する。
【００３８】
なお、接続とは、ＵＥ２００がｅＮＢ１００と同期した状態であって、当該ｅＮＢ１００から当該ＵＥ２００へ無線リソースを割り当て可能な状態を意味する。また、上りリンクとは、ＵＥ２００からｅＮＢ１００への通信方向を意味し、下りリンクとは、ｅＮＢ１００からＵＥ２００への通信方向を意味する。
【００３９】
ＭｅＮＢ１００−１、ＰｅＮＢ１００−２、及びｅＮＢ１００−３は、ＬＴＥの無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）に含まれる。本実施形態では、Ｅ−ＵＴＲＡＮは、ヘテロジーニアスネットワークとして構成されており、ＰｅＮＢ１００−２は、ＭｅＮＢ１００−１のカバレッジエリア内であって、例えば高トラフィック地帯（いわゆる、ホットゾーン）に配置される。
【００４０】
本実施形態では、ＭｅＮＢ１００−１は、異なる２つのキャリア（ＣＣ１、ＣＣ２）をサポートしており、当該２つのキャリア中から選択したキャリアを無線通信に使用できる。各キャリアは、周波数方向において複数のリソースブロック（ＲＢ）を含む。また、本実施形態では、ＰｅＮＢ１００−２は、１つのキャリア（ＣＣ１）をサポートしており、当該１つのキャリアを無線通信に使用する。
【００４１】
カバレッジエリアは、１又は複数のセルにより構成される。セルは、セルＩＤによって識別され、キャリアと対応付けられる。なお、キャリアと当該キャリアを使用するｅＮＢ１００と当該ｅＮＢ１００のカバレッジエリアとを併せてセルと称することもある。このため、ＭｅＮＢ１００−１はマクロセルと称されることがあり、ＰｅＮＢ１００−２はピコセルと称されることがある。各セル（各ＣＣ）は、同期の確立に使用される同期信号と、システム情報を含むマスタ情報ブロック（ＭＩＢ）及びシステム情報ブロック（ＳＩＢ）と、をブロードキャストする。同期信号は、プライマリ同期信号（ＰＳＳ）及びセカンダリ同期信号（ＳＳＳ）を含む。
【００４２】
ＵＥ２００は、接続中の状態に相当するコネクティッド（ＲＲＣ  Ｃｏｎｎｅｃｔｅｄ）状態において、接続先のセル（サービングセルと称される）を切り替えることができる。このようなサービングセルの切り替えは例えばハンドオーバによって実現される。ＵＥ２００のハンドオーバは、当該ＵＥ２００のサービングセルによって制御される。
【００４３】
ＭｅＮＢ１００−１とＰｅＮＢ１００−２との間には、隣接する基地局を相互接続するための論理通信路であるＸ２インターフェイスが設定される。また、ＬＴＥのコアネットワークであるＥＰＣ（Ｅｖｏｌｖｅｄ  Ｐａｃｋｅｔ  Ｃｏｒｅ）とＭｅＮＢ１００−１との間、及びＥＰＣとＰｅＮＢ１００−２との間には、ＥＰＣとの論理通信路であるＳ１インターフェイスが設定される。
【００４４】
上述したように、ＭｅＮＢ１００−１とＰｅＮＢ１００−２とが同一のキャリア（ＣＣ１）を使用し、且つＣＣ１を使用するＭＵＥ２００−１がＰｅＮＢ１００−２のカバレッジエリア端周辺に居ると、ＰｅＮＢ１００−２がＭＵＥ２００−１からの上りリンク干渉を受けることがある。ここで、ＭｅＮＢ１００−１が、ＭＵＥ２００−１からのメジャメントレポートに基づいて、ＰｅＮＢ１００−２に対する参照信号受信電力（ＲＳＲＰ）メジャメントに成功したＭＵＥ２００−１、すなわち、ＰｅＮＢ１００−２からのＰＳＳ／ＳＳＳを正常に受信可能なＭＵＥ２００−１を干渉源として推定し、当該干渉源のＭＵＥ２００−１を他のキャリア（ＣＣ２）にハンドオーバするなどによって、当該上りリンク干渉の解決を図ることができる。
【００４５】
しかしながら、ＭＵＥ２００−１は、ＰｅＮＢ１００−２のカバレッジエリア端周辺に居る場合であっても、ＭｅＮＢ１００−１及びＰｅＮＢ１００−２の送信電力差に起因して、ＭｅＮＢ１００−１からの下りリンク信号によってＰｅＮＢ１００−２からのＰＳＳ／ＳＳＳが打ち消されてしまうと、ＰｅＮＢ１００−２との同期をとることができず、ＰｅＮＢ１００−２に対するＲＳＲＰメジャメントを行うことができない。なお、ＭＵＥ２００−１がＰｅＮＢ１００−２に対するＲＳＲＰメジャメントを正常に行うためには、ＰｅＮＢ１００−２からのＰＳＳ／ＳＳＳだけでなく、ＰｅＮＢ１００−２からのＭＩＢも必要である。ＲＳＲＰメジャメントには下り帯域幅の情報が必要であり、ＭＩＢは下り帯域幅の情報を含むためである。
【００４６】
そこで、ＭｅＮＢ１００−１が、ＣＣ１のうちＰｅＮＢ１００−２がＰＳＳ／ＳＳＳ／ＭＩＢを送信するタイミング及び周波数帯において、送信電力を制限（具体的には、電力停止又は電力低下）することで、ＭＵＥ２００−１によるＰｅＮＢ１００−２に対するＲＳＲＰメジャメントを可能にすることができる。以下において、電力停止を「ｍｕｔｉｎｇ」と称し、電力低下を「ｐｏｗｅｒ  ｒｅｄｕｃｔｉｏｎ」と称する。
【００４７】
ここで、ＰＳＳ／ＳＳＳ／ＭＩＢのタイミング及び周波数帯に関して説明する。図２は、本実施形態に係る移動通信システムで使用される無線フレームの構成を示す。図２に示すように、無線フレームは、時間方向に並ぶ１０個のサブフレームで構成され、各サブフレームは２個のスロットで構成される。各サブフレームの長さは１ｍｓであり、各スロットの長さは０．５ｍｓである。また、各スロットは、時間方向に７個のＯＦＤＭシンボルを含み、周波数方向に複数のＲＢを含む。ＰＳＳ／ＳＳＳ／ＭＩＢを送信する周波数帯は中央の６ＲＢと規定されている。ＰＳＳは、５サブフレーム毎に前半スロットの最後のＯＦＤＭシンボルにマッピングされ、ＳＳＳは、同じスロットの最後から２番目（すなわちＰＳＳの直前）のＯＦＤＭシンボルにマッピングされる。ＭＩＢは、１０サブフレーム（１無線フレーム）毎に後半スロットの先頭から４ＯＦＤＭシンボルにマッピングされる。なお、下りリンクにおいて、各サブフレームの先頭数シンボルの領域は物理下りリンク制御チャネル（ＰＤＣＣＨ）領域に相当し、残る領域は物理下りリンク共有チャネル（ＰＤＳＣＨ）領域に相当する。
【００４８】
図３は、ＭｅＮＢ１００−１及びＰｅＮＢ１００−２が、サブフレーム同期し、且つサブフレームオフセットが設定されている場合のｍｕｔｉｎｇ／ｐｏｗｅｒ  ｒｅｄｕｃｔｉｏｎの一例を示す。図３に示すように、ＭｅＮＢ１００−１及びＰｅＮＢ１００−２がサブフレーム同期している場合で、ＰＳＳ／ＳＳＳ／ＭＩＢの送信タイミングが異なるようにサブフレームオフセットが設定されている場合には、ＭｅＮＢ１００−１は、ＰｅＮＢ１００−２のＰＳＳ／ＳＳＳ／ＭＩＢに対応する無線リソース（特定のサブフレーム及び中央の６ＲＢ）をｍｕｔｉｎｇ／ｐｏｗｅｒ  ｒｅｄｕｃｔｉｏｎすればよく、ＭｅＮＢ１００−１のＰＳＳ／ＳＳＳ／ＭＩＢをｍｕｔｉｎｇ／ｐｏｗｅｒ  ｒｅｄｕｃｔｉｏｎすることを要しない。
【００４９】
図４は、ＭｅＮＢ１００−１及びＰｅＮＢ１００−２が、サブフレーム同期し、且つサブフレームオフセットが設定されていない場合のｍｕｔｉｎｇ／ｐｏｗｅｒ  ｒｅｄｕｃｔｉｏｎの一例を示す。図４に示すように、ＭｅＮＢ１００−１及びＰｅＮＢ１００−２がサブフレーム同期している場合で、サブフレームオフセットが設定されていない場合には、ＭｅＮＢ１００−１及びＰｅＮＢ１００−２のそれぞれのＰＳＳ／ＳＳＳ／ＭＩＢが重複するため、ＭｅＮＢ１００−１は、ＰＳＳ／ＳＳＳ／ＭＩＢをｍｕｔｉｎｇ／ｐｏｗｅｒ  ｒｅｄｕｃｔｉｏｎする必要がある。
【００５０】
図５は、ＭｅＮＢ１００−１及びＰｅＮＢ１００−２がサブフレーム同期していない場合のｍｕｔｉｎｇ／ｐｏｗｅｒ  ｒｅｄｕｃｔｉｏｎの一例を示す。図５に示すように、ＭｅＮＢ１００−１及びＰｅＮＢ１００−２がサブフレーム同期していない場合、ＭｅＮＢ１００−１は、どのタイミング（サブフレーム）でＰｅＮＢ１００−２がＰＳＳ／ＳＳＳ／ＭＩＢを送信するのか特定できないため、ＰｅＮＢ１００−２がＰＳＳ／ＳＳＳ／ＭＩＢを送信する可能性のある中央の６ＲＢかつ全サブフレームでｍｕｔｉｎｇ／ｐｏｗｅｒ  ｒｅｄｕｃｔｉｏｎする必要がある。
【００５１】
このようなｍｕｔｉｎｇ／ｐｏｗｅｒ  ｒｅｄｕｃｔｉｏｎは、ＰＳＳ／ＳＳＳ／ＭＩＢだけでなく、共通参照信号（ＣＲＳ）や、ＰＤＣＣＨ領域、ＳＩＢも対象となり得る。図４及び図５に示すように、ＭｅＮＢ１００−１がＣＣ１においてｍｕｔｉｎｇ／ｐｏｗｅｒ  ｒｅｄｕｃｔｉｏｎする場合、ＭｅＮＢ１００−１のセルをハンドオーバターゲットとすべきＵＥ（図１では、ＭｅＮＢ１００−１に隣接するｅＮＢ１００−３配下のＵＥ２００−３）や、ＭｅＮＢ１００−１配下のＭＵＥ２００−１において、通信が途絶する又は通信に支障が生じる虞がある。
【００５２】
具体的には、ｅＮＢ１００−３配下のＵＥ２００−３は、ＣＣ１に対応するセルをサーチできなくなり、ハンドオーバ障害による再接続などが生じ得る。また、ＰＳＳ／ＳＳＳ／ＭＩＢに加えて、ＣＲＳもｍｕｔｉｎｇ／ｐｏｗｅｒ  ｒｅｄｕｃｔｉｏｎする場合、ＭＵＥ２００−１は、ＭｅＮＢ１００−１との間の伝搬路状態が劣化したと判断し、劣化した伝搬路状態を示すＣＳＩ（Ｃｈａｎｎｅｌ  Ｓｔａｔｅ  Ｉｎｆｏｒｍａｔｉｏｎ）レポートをＭｅＮＢ１００−１に送信してしまう。その結果、ＭｅＮＢ１００−１は、ＭＵＥ２００−１に対して適切なＭＣＳ（Ｍｏｄｕｌａｔｉｏｎ  ａｎｄ  Ｃｏｄｉｎｇ  Ｓｃｈｅｍｅ）制御やマルチアンテナ制御などを行うことができず、ＭＵＥ２００−１のスループットが低下し得る。
【００５３】
そこで、本実施形態では、上述したｍｕｔｉｎｇ／ｐｏｗｅｒ  ｒｅｄｕｃｔｉｏｎにあたり、ｅＮＢ１００−３配下のＵＥ２００−３のモビリティ制御のためのセルサーチを適切に行うために、次のような処理を行う。ここでモビリティ制御とは、ハンドオーバ制御やセル再選択制御を意味する。なお、ＵＥ２００−３は、アイドル（ＲＲＣ  Ｉｄｌｅ）状態であってもよく、接続（ＲＲＣ  Ｃｏｎｎｅｃｔｅｄ）状態であってもよい。
【００５４】
詳細には、ＭｅＮＢ１００−１は、ｅＮＢ１００−３に対し、ＵＥ２００−３のモビリティ制御のためのメジャメント（セルサーチ）対象として、ｍｕｔｉｎｇ／ｐｏｗｅｒ  ｒｅｄｕｃｔｉｏｎを行うセル（ＣＣ１に対応するセル）を選択させないよう通知するための情報をＸ２インターフェイス上で送信する。当該情報は、例えば、ＣＣ１に対応するセルをセルサーチ非対象セルとして指定する情報を含む。ｅＮＢ１００−３は、ＭｅＮＢ１００−１からの情報をＸ２インターフェイス上で受信すると、当該受信した情報に基づいて、ＵＥ２００−３がメジャメント対象としてｍｕｔｉｎｇ／ｐｏｗｅｒ  ｒｅｄｕｃｔｉｏｎが行われるセル（ＣＣ１に対応するセル）を選択しないよう制御する。例えば、ｅＢＮ１００−３がＣＣ１／ＣＣ２を使用している場合、ＣＣ１を使用しているＵＥに対してはＣＣ２を用いたｍｅａｓｕｒｅｍｅｎｔ  ｇａｐを構成する、ＣＣ２を使用しているＵＥに対してはＣＣ１を用いたｍｅａｓｕｒｅｍｅｎｔ  ｇａｐを構成しない、といった制御を行う。これにより、ｅＮＢ１００−３配下のＵＥ２００−３のモビリティ制御のためのセルサーチを適切に行うことができる。
【００５５】
あるいは、ＭｅＮＢ１００−１は、ｅＮＢ１００−３に対し、ＵＥ２００−３のモビリティ制御のためのメジャメント（セルサーチ）対象として、ｍｕｔｉｎｇ／ｐｏｗｅｒ  ｒｅｄｕｃｔｉｏｎを行わないセル（ＣＣ２に対応するセル）を選択するよう指示するための情報をＸ２インターフェイス上で送信する。当該情報は、例えば、ＣＣ２に対応するセルをセルサーチ対象セルとして指定する情報を含む。ｅＮＢ１００−３は、ＭｅＮＢ１００−１からの情報をＸ２インターフェイス上で受信すると、当該受信した情報に基づいて、ＵＥ２００−３がメジャメント対象としてｍｕｔｉｎｇ／ｐｏｗｅｒ  ｒｅｄｕｃｔｉｏｎが行われないセル（ＣＣ２に対応するセル）を選択するよう制御する。例えば、ｅＮＢ１００−３配下のＵＥのうち、ＣＣ２を使用していないＵＥに対しては、ＣＣ２を用いたｍｅａｓｕｒｅｍｅｎｔ  ｇａｐを構成する、といった制御を行う。これにより、ｅＮＢ１００−３配下のＵＥ２００−３のモビリティ制御のためのセルサーチを適切に行うことができる。
【００５６】
さらに、ＭｅＮＢ１００−１は、ＣＣ１に対応するセルにおいて、ｍｕｔｉｎｇ／ｐｏｗｅｒ  ｒｅｄｕｃｔｉｏｎを行うこと、ｍｕｔｉｎｇ／ｐｏｗｅｒ  ｒｅｄｕｃｔｉｏｎ中であること、ｍｕｔｉｎｇ／ｐｏｗｅｒ  ｒｅｄｕｃｔｉｏｎを終了したこと、の少なくとも１つをＸ２インターフェイス上でｅＮＢ１００−３に通知してもよい。
【００５７】
本実施形態では、上述したｍｕｔｉｎｇ／ｐｏｗｅｒ  ｒｅｄｕｃｔｉｏｎにあたり、ＭＵＥ２００−１によるＣＳＩレポートを適切に行うために、次のような処理を行う。なお、ＣＳＩレポートは、ＣＱＩ（Ｃｈａｎｎｅｌ  Ｑｕａｌｉｔｙ  Ｉｎｆｏｒｍａｔｉｏｎ）レポートや、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）を含む。
【００５８】
詳細には、ＭｅＮＢ１００−１は、ＣＲＳをｍｕｔｉｎｇ／ｐｏｗｅｒ  ｒｅｄｕｃｔｉｏｎする場合に、ＭＵＥ２００−１に対し、当該ｍｕｔｉｎｇ／ｐｏｗｅｒ  ｒｅｄｕｃｔｉｏｎの対象とする無線リソース（サブフレーム及びＲＢ）を通知する。ＭＵＥ２００−１は、ｍｕｔｉｎｇ／ｐｏｗｅｒ  ｒｅｄｕｃｔｉｏｎの対象とする無線リソースの通知を受信した後、当該無線リソースに対するメジャメント結果をＭｅＮＢ１００−１への報告の対象から除外する。例えば、下り帯域幅の全ＲＢ品質のメジャメント結果の平均をＣＱＩとして算出及び報告するｗｉｄｅ  ｂａｎｄ  ＣＱＩであれば、ｍｕｔｉｎｇ／ｐｏｗｅｒ  ｒｅｄｕｃｔｉｏｎの対象とするＲＢを除いた各ＲＢのメジャメント結果のみの平均をＣＱＩとして算出及び報告するようにする。また、特定サブフレームのみｍｕｔｉｎｇ／ｐｏｗｅｒ  ｒｅｄｕｃｔｉｏｎが行なわれる場合において、測定タイミングとｍｕｔｉｎｇ／ｐｏｗｅｒ  ｒｅｄｕｃｔｉｏｎのタイミングが被った場合には、ｍｕｔｉｎｇ／ｐｏｗｅｒ  ｒｅｄｕｃｔｉｏｎの行なわれていないｓｕｂｆｒａｍｅになるまで測定を遅らせてもよい。これにより、ＭＵＥ２００−１によるＣＳＩレポートを適切に行うことができる。
【００５９】
上述したように、ＭｅＮＢ１００−１がｍｕｔｉｎｇ／ｐｏｗｅｒ  ｒｅｄｕｃｔｉｏｎを行う期間内で、ＭＵＥ２００−１はＰｅＮＢ１００−２に対するＲＳＲＰメジャメントを行う。ＲＳＲＰメジャメントは、通常は下り帯域幅全体のＲＢ中のＣＲＳに対して行われる。しかしながら、ｍｕｔｉｎｇ／ｐｏｗｅｒ  ｒｅｄｕｃｔｉｏｎは一部の無線リソースについてのみ行われるため、ＰｅＮＢ１００−２からのＣＲＳは依然としてＭｅＮＢ１００−１からの干渉の影響を受け、ＭＵＥ２００−１はＰｅＮＢ１００−２に対するＲＳＲＰメジャメントを適切に行うことができない虞がある。よって、ＭＵＥ２００−１は、必須ではないが、特定のＲＢについてのみＲＳＲＰメジャメントを行うことが好ましい。
【００６０】
そこで、本実施形態では、ＭｅＮＢ１００−１は、ＭＵＥ２００−１に対し、特定のＲＢ（ｍｕｔｉｎｇ／ｐｏｗｅｒ  ｒｅｄｕｃｔｉｏｎ中のＲＢ）内のみのＣＲＳに基づいてＰｅＮＢ１００−２のＲＳＲＰを測定するよう指示するための情報を送信する。当該情報は、ＲＳＲＰメジャメントの対象とするＲＢを指定する情報を含む。ＭＵＥ２００−１は、ＭｅＮＢ１００−１からの当該情報を受信すると、当該情報に従い、当該特定のＲＢ内のみのＣＲＳに基づいてＰｅＮＢ１００−２に対するＲＳＲＰを測定する。これにより、ＭＵＥ２００−１はＰｅＮＢ１００−２に対するＲＳＲＰメジャメントを適切に行うことができる。
【００６１】
上述したように、ＭｅＮＢ１００−１がｍｕｔｉｎｇ／ｐｏｗｅｒ  ｒｅｄｕｃｔｉｏｎを行う期間内で、ＭＵＥ２００−１はＰｅＮＢ１００−２に対するＲＳＲＰメジャメントを行う。ＰｅＮＢ１００−２に対するＲＳＲＰメジャメントは、通常はＰｅＮＢ１００−２が送信するＭＩＢに含まれる下り帯域幅情報に基づいて行われる。しかしながら、ＭＵＥ２００−１は、ＰｅＮＢ１００−２が送信するＭＩＢに含まれる下り帯域幅情報を正常に取得できない可能性がある。
【００６２】
そこで、本実施形態では、ＭｅＮＢ１００−１は、ＭＵＥ２００−１に対し、ＰｅＮＢ１００−２の（ＣＣ１の）下り帯域幅の情報を通知する。当該情報は、例えばリソースブロック数である。ＭＩＢでは、ＴＳ３６．３３１に記載のように、{ n6, n15, n25, n50, n75, n100}というリソースブロック数を表すインデックスを通知しており、これに準ずる形で通知してもよい。ＭＵＥ２００−１は、ＭｅＮＢ１００−１からの当該情報を受信すると、当該情報に基づいて、ＰｅＮＢ１００−２からのＭＩＢを受信して当該ＭＩＢ中の下り帯域幅情報を取得することなく、ＰｅＮＢ１００−２に対するＲＳＲＰメジャメントを行う。これにより、ＭＵＥ２００−１はＰｅＮＢ１００−２に対するＲＳＲＰメジャメントを適切に行うことができる。
【００６３】
次に、ｅＮＢ１００の構成を説明する。図６は、ｅＮＢ１００のブロック図である。図６に示すように、ｅＮＢ１００は、アンテナ１０１と、無線通信部１１０と、ネットワーク通信部１２０と、記憶部１３０と、制御部１４０と、を含む。アンテナ１０１は、例えば複数のアンテナ素子を含み、無線信号の送受信に用いられる。無線通信部１１０は、例えば無線周波数（ＲＦ）回路やベースバンド（ＢＢ）回路等を用いて構成され、アンテナ１０１を介して無線信号を送受信する。ネットワーク通信部１２０は、Ｘ２インターフェイス上で隣接ｅＮＢ１００との基地局間通信を行う。また、ネットワーク通信部１２０は、Ｓ１インターフェイス上でＥＰＣとの通信を行う。記憶部１３０は、ｅＮＢ１００の制御等に用いられる各種の情報を記憶する。制御部１４０は、ｅＮＢ１００が備える各種の機能を制御する。
【００６４】
次に、ＵＥ２００の構成を説明する。図７は、ＵＥ２００のブロック図である。図７に示すように、ＵＥ２００は、アンテナ２０１と、無線通信部２１０と、記憶部２２０と、制御部２３０と、を含む。アンテナ２０１は、無線信号の送受信に用いられる。無線通信部２１０は、例えばＲＦ回路やＢＢ回路等を用いて構成され、アンテナ２０１を介して無線信号を送受信する。記憶部２２０は、ＵＥ２００の制御等に用いられる各種の情報を記憶する。制御部２３０は、ＵＥ２００が備える各種の機能を制御する。
【００６５】
次に、図１に示す状況を例に、本実施形態に係る移動通信システムの全体動作を説明する。図８は、本実施形態に係る移動通信システムの全体動作の一例を示す。本シーケンスの初期状態において、ＭＵＥ２００−１はＰｅＮＢ１００−２のセルを検出しておらず、ＰｅＮＢ１００−２についてのＲＳＲＰメジャメントの結果をＭｅＮＢ１００−１に報告していない。なお、図８の破線で示すシグナリングは不要としてもよい。
【００６６】
図８に示すように、ステップＳ１０１において、ＭＵＥ２００−１は、ＭｅＮＢ１００−１との無線通信を行う。ステップＳ１０２において、ＰｅＮＢ１００−２は、ＭＵＥ２００−１からの上りリンク信号によって干渉を受ける。ＰｅＮＢ１００−２は、上りリンクの各ＲＢについて干渉レベルを測定している。ステップＳ１０３において、ＰｅＮＢ１００−２は、上りリンクのＲＢ毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知された上りリンクの干渉がＭｅＮＢ１００−１に通知される。ＭｅＮＢ１００−１は、ＰｅＮＢ１００−２からのＯｖｅｒｌｏａｄ  Ｉｎｄｉｃａｔｏｒに基づいて、ＰｅＮＢ１００−２で上りリンク干渉が生じていることを把握する。そして、ＭＵＥ２００−１の中から干渉源のＭＵＥ２００−１を探索する処理を開始する。
【００６７】
ステップＳ１０４において、ＭｅＮＢ１００−１は、ＣＣ１に対応するセルにおいてｍｕｔｉｎｇ／ｐｏｗｅｒ  ｒｅｄｕｃｔｉｏｎを行うことをＸ２インターフェイス上でｅＮＢ１００−３に通知する。あるいは、ＣＣ１に対応するセルをセルサーチ非対象セルとするよう通知／指示してもよく、ＣＣ２に対応するセルをセルサーチ対象セルとするよう通知／指示してもよい。
【００６８】
ステップＳ１０５において、ＭｅＮＢ１００−１は、上述したｍｕｔｉｎｇ／ｐｏｗｅｒ  ｒｅｄｕｃｔｉｏｎを開始する。
【００６９】
ステップＳ１０６において、ｅＮＢ１００−３は、ステップＳ１０４の通知に応じて、ＵＥ２００−３がメジャメント対象としてｍｕｔｉｎｇ／ｐｏｗｅｒ  ｒｅｄｕｃｔｉｏｎが行われるセル（ＣＣ１に対応するセル）を選択しないよう制御する。あるいは、ＵＥ２００−３がメジャメント対象としてｍｕｔｉｎｇ／ｐｏｗｅｒ  ｒｅｄｕｃｔｉｏｎが行われないセル（ＣＣ２に対応するセル）を選択するよう制御する。
【００７０】
ステップＳ１０７において、ＵＥ２００−３は、ステップＳ１０６の制御に応じて、ｍｕｔｉｎｇ／ｐｏｗｅｒ  ｒｅｄｕｃｔｉｏｎが行われるセル（ＣＣ１に対応するセル）以外のセルに対するメジャメント（セルサーチ）を行う。そして、ステップＳ１０８において、ＵＥ２００−３は、ステップＳ１０７でのメジャメント結果をｅＮＢ１００−３に報告する。
【００７１】
一方、ＭｅＮＢ１００−１は、ステップＳ１０５でｍｕｔｉｎｇ／ｐｏｗｅｒ  ｒｅｄｕｃｔｉｏｎを開始すると、ステップＳ１０９において、ＭＵＥ２００−１に対するメジャメント制御を行う。詳細には、ＭｅＮＢ１００−１は、ＭＵＥ２００−１に対し、特定のＲＢ内のみのＣＲＳに基づいてＰｅＮＢ１００−２のＲＳＲＰを測定するよう指示するための情報を送信する。また、ＭｅＮＢ１００−１は、ＭＵＥ２００−１に対し、ＰｅＮＢ１００−２の下り帯域幅の情報を通知する。さらに、ＭｅＮＢ１００−１は、ＣＲＳをｍｕｔｉｎｇ／ｐｏｗｅｒ  ｒｅｄｕｃｔｉｏｎする場合に、ＭＵＥ２００−１に対し、当該ｍｕｔｉｎｇ／ｐｏｗｅｒ  ｒｅｄｕｃｔｉｏｎの対象とする無線リソース（サブフレーム及びＲＢ）を通知する。
【００７２】
ステップＳ１１０において、ＭＵＥ２００−１は、ステップＳ１０９の制御に応じて、ＲＳＲＰメジャメント及びＣＳＩメジャメントを行う。詳細には、ＭＵＥ２００−１は、ＭｅＮＢ１００−１から通知された下り帯域幅に含まれるＲＢのうち、ＭｅＮＢ１００−１から通知された特定のＲＢ内のみのＣＲＳに基づいてＰｅＮＢ１００−２に対するＲＳＲＰを測定する。あるいは、通知された下り帯域幅に基づいて全帯域のＲＳＲＰを測定してもよい。また、ＭＵＥ２００−１は、ＣＲＳがｍｕｔｉｎｇ／ｐｏｗｅｒ  ｒｅｄｕｃｔｉｏｎされる場合に、ｍｕｔｉｎｇ／ｐｏｗｅｒ  ｒｅｄｕｃｔｉｏｎの対象とする無線リソースに対するＣＳＩメジャメント結果をＭｅＮＢ１００−１への報告の対象から除外する。
【００７３】
ステップＳ１１１において、ＭＵＥ２００−１は、ステップＳ１１０のメジャメントの結果をＭｅＮＢ１００−１に報告する。ここで、ＰｅＮＢ１００−２のカバレッジエリア端周辺のＭＵＥ２００−１であれば、ＰｅＮＢ１００−２に対するＲＳＲＰメジャメントの結果がメジャメントレポートに含まれていることになる。
【００７４】
なお、ステップＳ１０９〜ステップＳ１１１の処理は、複数のＭＵＥ２００−１のそれぞれに対して行われてもよく、ＰｅＮＢ１００−２のカバレッジエリア端周辺に居る候補のＭＵＥ２００−１に対してのみ行われてもよい。
【００７５】
このようなメジャメントレポートの収集が終了すると、ステップＳ１１２において、ＭｅＮＢ１００−１は、ＣＣ１に対応するセルにおいてｍｕｔｉｎｇ／ｐｏｗｅｒ  ｒｅｄｕｃｔｉｏｎを終了することをＸ２インターフェイス上でｅＮＢ１００−３に通知する。あるいは、ＣＣ１に対応するセルをセルサーチ対象セルとするよう通知／指示してもよい。
【００７６】
ステップＳ１１３において、ＭｅＮＢ１００−１は、上述したｍｕｔｉｎｇ／ｐｏｗｅｒ  ｒｅｄｕｃｔｉｏｎを終了する。
【００７７】
ステップＳ１１４において、ｅＮＢ１００−３は、ステップＳ１１２の通知に応じて、ＵＥ２００−３がメジャメント対象としてｍｕｔｉｎｇ／ｐｏｗｅｒ  ｒｅｄｕｃｔｉｏｎが行われていたセル（ＣＣ１に対応するセル）も選択できるように制御する。
【００７８】
ステップＳ１１５において、ＭｅＮＢ１００−１は、ステップＳ１１１で受信したメジャメントレポートに、ＰｅＮＢ１００−２についてのＲＳＲＰメジャメントの結果（例えば、ＰｅＮＢ１００−２のセルのＩＤに対応するＲＳＲＰメジャメント結果）が含まれているか否かを確認する。ＰｅＮＢ１００−２についてのＲＳＲＰメジャメントの結果がメジャメントレポートに含まれていない場合（ステップＳ１１５；ＮＯ）、ステップＳ１１７において、ステップＳ１０９でのメジャメント設定を解除する。
【００７９】
これに対し、ＰｅＮＢ１００−２についてのＲＳＲＰメジャメントの結果がメジャメントレポートに含まれている場合（ステップＳ１１５；ＹＥＳ）、当該ＭＵＥ２００−１をＰｅＮＢ１００−２に対する上りリンクの干渉源として特定する。そして、ステップＳ１１６において、ＭｅＮＢ１００−１は、当該干渉源のＭＵＥ２００−１をＣＣ１に対応するセルからＣＣ２に対応するセルへハンドオーバする。あるいは、可能であれば、当該干渉源のＭＵＥ２００−１をＰｅＮＢ１００−２のセルへハンドオーバしてもよい。
【００８０】
［第２実施形態］
以下において、第２実施形態について、第１実施形態との相違点を説明する。
【００８１】
本実施形態では、ＰｅＮＢ１００−２は、ＣＣ１において、中央の周波数帯（第１の周波数帯）で送信される通常のＰＳＳ／ＳＳＳ／ＭＩＢ（第１のＰＳＳ／ＳＳＳ／ＭＩＢ）に加えて、他の周波数帯（第２の周波数帯）で新たなＰＳＳ／ＳＳＳ／ＭＩＢ（第２のＰＳＳ／ＳＳＳ／ＭＩＢ）を送信する。以下においては、このような新たなＰＳＳ／ＳＳＳ／ＭＩＢを「ｅＰＳＳ／ｅＳＳＳ／ｅＭＩＢ」と称する。基本的には、ｅＰＳＳ／ｅＳＳＳ／ｅＭＩＢの構成は、通常のＰＳＳ／ＳＳＳ／ＭＩＢの構成と同じである。ただし、ｅＭＩＢは、ｅＰＳＳ及びｅＳＳＳの周波数オフセットの情報を含んでもよい。ここで周波数オフセットとは、通常のＰＳＳ／ＳＳＳからのｅＰＳＳ及びｅＳＳＳの周波数オフセット、すなわち、ＤＣサブキャリアからのｅＰＳＳ及びｅＳＳＳの周波数オフセットである。なお、ｅＭＩＢの周波数オフセットは、リソースブロック数の直値(中心からのオフセットとして+10, -13などといった表記、あるいは0, …, N_RB-1といった通常のRB番号表記)、或いは前記の値のうちの予め決められたいくつかのインデックス( { n6, n15, n25, n36} など、但し帯域幅によって異なる)、によって示すことができる。
【００８２】
ｅＰＳＳ／ｅＳＳＳ／ｅＭＩＢの送信に使用する無線リソース（サブフレーム及びＲＢ）は、ＰｅＮＢ１００−２が決定してもよく、ＭｅＮＢ１００−１が決定してもよい。ＰｅＮＢ１００−２が決定する場合、ｅＰＳＳ／ｅＳＳＳ／ｅＭＩＢの送信に使用する無線リソースをＰｅＮＢ１００−２からＭｅＮＢ１００−１に通知する。これに対し、ＭｅＮＢ１００−１が決定する場合、ｅＰＳＳ／ｅＳＳＳ／ｅＭＩＢの送信に使用する無線リソースをＭｅＮＢ１００−１からＰｅＮＢ１００−２に通知する。
【００８３】
また、ＭｅＮＢ１００−１は、ｅＰＳＳ／ｅＳＳＳ／ｅＭＩＢの送信に使用する無線リソースをＭＵＥ２００−１に通知する。そして、ＭｅＮＢ１００−１は、ｅＰＳＳ／ｅＳＳＳ／ｅＭＩＢに対応する無線リソース（サブフレーム及びＲＢ）でｍｕｔｉｎｇ／ｐｏｗｅｒ  ｒｅｄｕｃｔｉｏｎを行う。ＭＵＥ２００−１は、ｍｕｔｉｎｇ／ｐｏｗｅｒ  ｒｅｄｕｃｔｉｏｎが行われる期間内で、ＰｅＮＢ１００−２から受信するｅＰＳＳ／ｅＳＳＳ／ｅＭＩＢを用いてＲＳＲＰメジャメントを行う。
【００８４】
これにより、ＭｅＮＢ１００−１は、通常のＰＳＳ／ＳＳＳ／ＭＩＢにおいてｍｕｔｉｎｇ／ｐｏｗｅｒ  ｒｅｄｕｃｔｉｏｎを行う必要がなくなるため、ＭｅＮＢ１００−１に隣接するｅＮＢ１００−３配下のＵＥ２００−３は、ＭｅＮＢ１００−１におけるＣＣ１に対応するセルをサーチ可能であり、ハンドオーバ障害による再接続などが生じない。
【００８５】
図９は、ＭｅＮＢ１００−１及びＰｅＮＢ１００−２が、サブフレーム同期している場合のｅＰＳＳ／ｅＳＳＳ／ｅＭＩＢ及びｍｕｔｉｎｇ／ｐｏｗｅｒ  ｒｅｄｕｃｔｉｏｎの一例を示す。図９に示すように、本実施形態では、ＰｅＮＢ１００−２は、同一のＲＢ且つ同一のサブフレーム内でｅＰＳＳ、ｅＳＳＳ、及びｅＭＩＢを送信する。このように、通常のＰＳＳ／ＳＳＳ／ＭＩＢと同様に、ｅＰＳＳ、ｅＳＳＳ、及びｅＭＩＢを同一サブフレーム内の同一ＲＢ（６ＲＢ）で送信することによって、ｅＰＳＳ、ｅＳＳＳ、及びｅＭＩＢが分散している場合に比べ、メジャメントの処理負荷を軽減できる。
【００８６】
また、ＭｅＮＢ１００−１及びＰｅＮＢ１００−２がサブフレーム同期している場合、ＭｅＮＢ１００−１は、ＰｅＮＢ１００−２のｅＰＳＳ／ｅＳＳＳ／ｅＭＩＢに対応する無線リソース（特定のサブフレーム及び６ＲＢ）のみをｍｕｔｉｎｇ／ｐｏｗｅｒ  ｒｅｄｕｃｔｉｏｎする。
【００８７】
図１０は、ＭｅＮＢ１００−１及びＰｅＮＢ１００−２が、サブフレーム同期していない場合のｅＰＳＳ／ｅＳＳＳ／ｅＭＩＢ及びｍｕｔｉｎｇ／ｐｏｗｅｒ  ｒｅｄｕｃｔｉｏｎの一例を示す。図１０に示すように、この場合も上記と同様に、ＰｅＮＢ１００−２は、同一のＲＢ且つ同一のサブフレーム内でｅＰＳＳ、ｅＳＳＳ、及びｅＭＩＢを送信する。また、ＭｅＮＢ１００−１及びＰｅＮＢ１００−２がサブフレーム同期していない場合、ＭｅＮＢ１００−１は、中央の６ＲＢかつ全サブフレームでｍｕｔｉｎｇ／ｐｏｗｅｒ  ｒｅｄｕｃｔｉｏｎする。
【００８８】
次に、図１に示す状況を例に、本実施形態に係る移動通信システムの全体動作を説明する。図１１は、本実施形態に係る移動通信システムの全体動作の一例を示す。本シーケンスの初期状態において、ＭＵＥ２００−１はＰｅＮＢ１００−２のセルを検出しておらず、ＰｅＮＢ１００−２についてのＲＳＲＰメジャメントの結果をＭｅＮＢ１００−１に報告していない。なお、図１１の破線で示すシグナリングは不要としてもよい。
【００８９】
図１１に示すように、ステップＳ２０１において、ＭＵＥ２００−１は、ＭｅＮＢ１００−１との無線通信を行う。ステップＳ２０２において、ＰｅＮＢ１００−２は、ＭＵＥ２００−１からの上りリンク信号によって干渉を受ける。ＰｅＮＢ１００−２は、上りリンクの各ＲＢについて干渉レベルを測定している。ステップＳ２０３において、ＰｅＮＢ１００−２は、上りリンクのＲＢ毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知された上りリンクの干渉がＭｅＮＢ１００−１に通知される。ＭｅＮＢ１００−１は、ＰｅＮＢ１００−２からのＯｖｅｒｌｏａｄ  Ｉｎｄｉｃａｔｏｒに基づいて、ＰｅＮＢ１００−２で上りリンク干渉が生じていることを把握する。そして、ＭＵＥ２００−１の中から干渉源のＭＵＥ２００−１を探索する処理を開始する。
【００９０】
ステップＳ２０４において、ＰｅＮＢ１００−２は、ｅＰＳＳ／ｅＳＳＳ／ｅＭＩＢの送信に使用する無線リソースを決定し、ＭｅＮＢ１００−１にＸ２インターフェイス上で通知する。あるいは、ＭｅＮＢ１００−１は、ｅＰＳＳ／ｅＳＳＳ／ｅＭＩＢの送信に使用する無線リソースを決定し、ＰｅＮＢ１００−２にＸ２インターフェイス上で通知する。
【００９１】
ステップＳ２０５において、ＰｅＮＢ１００−２は、ｅＰＳＳ／ｅＳＳＳ／ｅＭＩＢの送信に使用する無線リソースをＰＵＥ２００−２に通知する。これにより、ＰＵＥ２００−２はｅＰＳＳ／ｅＳＳＳ／ｅＭＩＢを受信可能になる。ＰｅＮＢ１００−２は、ＰｅＮＢ１００−２に隣接するｅＮＢ１００（不図示）に対しても通知を行ってもよい。また、ＭｅＮＢ１００−１は、ｅＰＳＳ／ｅＳＳＳ／ｅＭＩＢの送信に使用する無線リソースをｅＮＢ１００−３に通知（ステップＳ２０６）してもよい。
【００９２】
ステップＳ２０７において、ＰｅＮＢ１００−２は、ステップＳ２０４で決定されたｅＰＳＳ／ｅＳＳＳ／ｅＭＩＢの送信に使用する無線リソースを用いて、ｅＰＳＳ／ｅＳＳＳ／ｅＭＩＢの送信を開始する。
【００９３】
ステップＳ２０８において、ＭｅＮＢ１００−１は、上述したｍｕｔｉｎｇ／ｐｏｗｅｒ  ｒｅｄｕｃｔｉｏｎを開始する。
【００９４】
ステップＳ２０９において、ＭｅＮＢ１００−１は、ｅＰＳＳ／ｅＳＳＳ／ｅＭＩＢの送信に使用する無線リソースをＭＵＥ２００−１に通知する。ここでＭｅＮＢ１００−１は、第１実施形態で説明したように、特定のＲＢ内のみのＣＲＳに基づいてＰｅＮＢ１００−２のＲＳＲＰを測定するよう指示するための情報を送信してもよく、ＰｅＮＢ１００−２の下り帯域幅の情報を通知してもよい。また、ＭｅＮＢ１００−１は、ＣＲＳをｍｕｔｉｎｇ／ｐｏｗｅｒ  ｒｅｄｕｃｔｉｏｎする場合に、ＭＵＥ２００−１に対し、当該ｍｕｔｉｎｇ／ｐｏｗｅｒ  ｒｅｄｕｃｔｉｏｎの対象とする無線リソース（サブフレーム及びＲＢ）を通知してもよい。
【００９５】
ステップＳ２１０において、ＭＵＥ２００−１は、ステップＳ２０９の制御に応じて、ＲＳＲＰメジャメントを行う。詳細には、ＭＵＥ２００−１は、ｅＰＳＳ／ｅＳＳＳ／ｅＭＩＢの送信に使用する無線リソースの通知に基づいて、ｅＰＳＳ／ｅＳＳＳ／ｅＭＩＢを用いてＰｅＮＢ１００−２に対するＲＳＲＰメジャメントを行う。
【００９６】
ステップＳ２１１において、ＭＵＥ２００−１は、ステップＳ２１０のメジャメントの結果をＭｅＮＢ１００−１に報告する。ここで、ＰｅＮＢ１００−２のカバレッジエリア端周辺のＭＵＥ２００−１であれば、ＰｅＮＢ１００−２に対するＲＳＲＰメジャメントの結果がメジャメントレポートに含まれていることになる。
【００９７】
なお、ステップＳ２０９〜ステップＳ２１１の処理は、複数のＭＵＥ２００−１のそれぞれに対して行われてもよく、ＰｅＮＢ１００−２のカバレッジエリア端周辺に居る候補のＭＵＥ２００−１に対してのみ行われてもよい。
【００９８】
このようなメジャメントレポートの収集が終了すると、ステップＳ２１２において、ＭｅＮＢ１００−１は、上述したｍｕｔｉｎｇ／ｐｏｗｅｒ  ｒｅｄｕｃｔｉｏｎを終了する。
【００９９】
ステップＳ２１３において、ＭｅＮＢ１００−１は、ｅＰＳＳ／ｅＳＳＳ／ｅＭＩＢを終了するようＸ２インターフェイス上でＰｅＮＢ１００−２に通知する。ＰｅＮＢ１００−２は、ｅＰＳＳ／ｅＳＳＳ／ｅＭＩＢの終了をＰＵＥ２００−２に通知（ステップＳ２１４）する。ＭｅＮＢ１００−１は、ｅＰＳＳ／ｅＳＳＳ／ｅＭＩＢの終了をｅＮＢ１００−３に通知（ステップＳ２１５）してもよい。
【０１００】
ステップＳ２１６において、ＭｅＮＢ１００−１は、ステップＳ２１１で受信したメジャメントレポートに、ＰｅＮＢ１００−２についてのＲＳＲＰメジャメントの結果（例えば、ＰｅＮＢ１００−２のセルのＩＤに対応するＲＳＲＰメジャメント結果）が含まれているか否かを確認する。ＰｅＮＢ１００−２についてのＲＳＲＰメジャメントの結果がメジャメントレポートに含まれていない場合（ステップＳ２１６；ＮＯ）、ステップＳ２１８において、ステップＳ２０９でのメジャメント設定を解除する。
【０１０１】
これに対し、ＰｅＮＢ１００−２についてのＲＳＲＰメジャメントの結果がメジャメントレポートに含まれている場合（ステップＳ２１６；ＹＥＳ）、当該ＭＵＥ２００−１をＰｅＮＢ１００−２に対する上りリンクの干渉源として特定する。そして、ステップＳ２１７において、ＭｅＮＢ１００−１は、当該干渉源のＭＵＥ２００−１をＣＣ１に対応するセルからＣＣ２に対応するセルへハンドオーバする。あるいは、可能であれば、当該干渉源のＭＵＥ２００−１をＰｅＮＢ１００−２のセルへハンドオーバしてもよい。
【０１０２】
なお、図１に示す状況では、ＰｅＮＢ１００−２は、ＭｅＮＢ１００−１のカバレッジエリア内であってｅＮＢ１００−３のカバレッジエリア外に設置されていたが、ＭｅＮＢ１００−１及びｅＮＢ１００−３のそれぞれのカバレッジエリアが重複する領域にＰｅＮＢ１００−２が設置される状況下では、ｅＮＢ１００−３は、ＭｅＮＢ１００−１と同様の動作を行う。つまり、ＰｅＮＢ１００−２への干渉源となりうる周囲の基地局全てが連携して同一のｅＰＳＳ／ｅＳＳＳ／ｅＭＩＢを利用するように協調する、という動作を行う。
【０１０３】
［その他の実施形態］
この開示の一部をなす論述及び図面はこの発明を限定するものであると理解すべきではない。この開示から当業者には様々な代替実施形態、実施例及び運用技術が明らかとなる。
【０１０４】
上述した各実施形態は、別個独立に実施する場合に限らず、相互に組み合わせて実施してもよい。例えば、第１実施形態で説明した技術を適宜第２実施形態に適用してもよい。
【０１０５】
また、上述した各実施形態においてＸ２インターフェイス上で送受信されていた情報は、ＥＰＣを介してＳ１インターフェイス上で送受信してもよい。
【０１０６】
さらに、上述した各実施形態においては、ＭｅＮＢ及びＰｅＮＢの組み合わせを例に説明したが、ＭｅＮＢ及びフェムトセル（ＨｅＮＢ）の組み合わせであってもよく、ＰｅＮＢ及びフェムトセル（ＨｅＮＢ）の組み合わせであってもよい。 
【０１０７】
なお、米国仮出願第６１／５５５２９９号（２０１１年１１月３日出願）の全内容が、参照により、本願明細書に組み込まれている。
【産業上の利用可能性】
【０１０８】
以上のように、本発明は、移動通信などの無線通信分野において有用である。
【図１】
2013065834.tif 000003
【図２】
2013065834.tif 000004
【図３】
2013065834.tif 000005
【図４】
2013065834.tif 000006
【図５】
2013065834.tif 000007
【図６】
2013065834.tif 000008
【図７】
2013065834.tif 000009
【図８】
2013065834.tif 000010
【図９】
2013065834.tif 000011
【図１０】
2013065834.tif 000012
【図１１】
2013065834.tif 000013
【国際調査報告】
2013065834.tif 000014
2013065834.tif 000015
2013065834.tif 000016
2013065834.tif 000017
2013065834.tif 000018
2013065834.tif 000019
2013065834.tif 000020
2013065834.tif 000021